(57)【要約】【課題】  内部に小物等を掛けたり一時置きしたりすることのできる部分を備えた簡易構造物を提供する。【解決手段】  無目と、横バーと、取付材とを備え、横バーは、取付材を介して無目の室内側に隙間を空けて取り付けてあって、長手方向に沿って上面に係止面と、側面又は下面に機能部品取付溝を有し、機能部品取付溝の任意の位置に、任意の数の機能部品を取り付け可能であることを特徴とする簡易構造物。【選択図】      図１
2019203342.tif 000002
【特許請求の範囲】
【請求項１】
無目と、横バーと、取付材とを備え、
横バーは、取付材を介して無目の室内側に隙間を空けて取り付けてあって、長手方向に沿って上面に係止面と、側面又は下面に機能部品取付溝を有し、機能部品取付溝の任意の位置に、任意の数の機能部品を取り付け可能であることを特徴とする簡易構造物。
【発明の詳細な説明】
【技術分野】
【０００１】
本発明は、テラス囲い等の簡易構造物に関する。
【背景技術】
【０００２】
従来のテラス囲い等の簡易構造物は、内部に腰高さでハンガーやかご等の小物を掛けたり一時置きしたりすることのできる部分を備えておらず、簡易構造物内における洗濯物干し等の作業中にはハンガー等を頭上の竿に掛けて一時置きするしかなく、一時置きした物が邪魔になり作業もしにくいため、簡易構造物の内部をより使い易くしたいという要望があった。
【発明の概要】
【発明が解決しようとする課題】
【０００３】
本発明は上記課題に鑑み、内部に小物等を掛けたり一時置きしたりすることのできる部分を備えた簡易構造物を提供することを目的とする。
【課題を解決するための手段】
【０００４】
本発明の簡易構造物は、無目と、横バーと、取付材とを備え、横バーは、取付材を介して無目の室内側に隙間を空けて取り付けてあって、長手方向に沿って上面に係止面と、側面又は下面に機能部品取付溝を有し、機能部品取付溝の任意の位置に、任意の数の機能部品を取り付け可能であることを特徴とする。
【発明の効果】
【０００５】
本発明によれば、横バーの係止面にバスタオルやＳ字フック等を掛けたり、ハンガー等を仮置きしたりすることができ、また、機能部品取付溝にフック等の機能部品を取り付けることができるので、簡易構造物内における各種作業の効率が良くなる。
【図面の簡単な説明】
【０００６】
【図１】(ａ)は図４のＡ−Ａ線端面図であり、(ｂ)は図４のＢ−Ｂ線端面図である。
【図２】本発明の簡易構造物の（ａ）は側面図、（ｂ）は正面図である。
【図３】本発明の簡易構造物の内観の一部を示す概略図である。
【図４】簡易構造物の室内側の要部正面図である。
【図５】簡易構造物の室内側の要部平面図である。
【図６】簡易構造物の要部を示す概略図である。
【発明を実施するための形態】
【０００７】
以下、本発明の実施の形態を図面に基づいて説明する。本発明の簡易構造物の使用場所は特に限定されるものではないが、ここでは建物の外壁に沿って設置されるテラス囲いの場合を示す。簡易構造物Ｙは、建物の外壁Ｘに沿って設置されるテラス囲いである。なお、以下の説明において左右方向とは図２（ｂ）における左右方向を示し、前後とは図２（ｂ）における手前側及び奥側を示すものとする。本簡易構造物Ｙは、図１乃至及び図６に示すように、建物の外壁Ｘに左右一対の躯体方立１１，１１が取り付けられ、屋外側に２本の柱１２，１２が地面から立設され、柱１２，１２の上端に桁１３が架設してあり、躯体方立１１と桁１３の間に腕木１４が取り付けてある。左右の柱１２，１２間及び、柱１２と躯体方立１１の間には、下端部において図示せぬベース材がそれぞれ取り付けられている。なお、本実施形態の簡易構造物Ｙは土間仕様であるが、床材を用いたデッキ仕様であってもよい。
【０００８】
簡易構造物Ｙは正面及び側面において開口部を有する。開口部にはＦＩＸ窓や引き違い戸等の開口部建材が取り付けられ、後述の横バー３０は開口部建材の室内側に取り付けられる。横バー３０は正面又は側面のいずれの開口部建材に取り付けても良いが、ここでは、桁１３とベース材と左右の柱１２，１２間の前側開口部に設けられた開口部建材Ｏに横バー３０を取り付けた場合を説明する。本実施形態において開口部建材Ｏは無目１５を有するＦＩＸ窓であって、左右の縦枠１６，１６と上下の横枠１７，１７によって枠組みされており、開口部建材Ｏの高さ方向略中間部は、無目１５によって仕切ってあり、左右方向略中間部は方立１８によって仕切ってある。開口部建材Ｏは、内周にガラスパネルを取り付けてある。
【０００９】
無目１５は、左右の柱１２、１２間の腰高さ位置に取り付けられていて、無目１５の室内側には長手方向に亘って、横バー３０が取付材２０を介して無目１５との隙間Ｇを空けて取り付けてある。
【００１０】
横バー３０は、中空の略円筒形状であり、長手方向に沿って上面に係止面３１と、下面に機能部品取付溝３２を有する。係止面３１は、断面略円弧形状である。機能部品取付溝３２は、断面が略凸字形状であり、取付材２０及び機能部品５０を取り付けるための裏板４０の挿入孔３３（凸字の下半分の矩形空間）と、凸字の底面において外周側へ開口した開口部３４を有し、開口部３４の室内側端及び室外側端には、裏板４０の底面に当接する支持部３５，３５を有する。裏板４０の前後幅は開口部３４の前後幅よりも大きいので、裏板４０は挿入孔３３から脱落することなく支持部３５，３５によって支持される。
【００１１】
取付材２０は、横バー３０を無目１５に取付けるための、平板を折り曲げた形状の断面略Ｌ字状の部材であって、一端を無目１５の室内側見付面に室内側からネジ止めされていて、他端を、横バー３０の挿入孔３３に挿入された裏板４０に、支持部３５，３５を間に挟んだ状態で下からネジ止めされている。
【００１２】
機能部品５０は、形状や用途が特に限定されるものではないが、ここではフックの場合を示す。フック（機能部品）５０は、一端にフック部５１と、他端に平板状の固定部５２を有し、固定部５２は横バー３０の挿入孔３３に挿入された裏板４０に、支持部３５，３５を間に挟んだ状態で下からネジ止めされている。
なお、図５に示すように本実施形態例においてフック５０を固定する裏板４０は回転裏板を使用しており、裏板４０の外径の最小幅ｄ１は機能部品取付溝３２の支持部３５，３５間の隙間の幅ｄ２よりも小さい。すなわち、裏板４０を固定しているネジを緩めた際に裏板４０が回転して機能部品取付溝３２に対し着脱可能な構造であるので、フック５０を横バー３０の任意の位置に容易に着脱自在である。
【００１３】
次いで、本発明の簡易構造物の構成による作用および効果について説明する。
本発明の簡易構造物は、腰高さの無目１５の室内側に隙間Ｇを空けて取り付けた横バー３０の上面に係止面３１を有しているので、係止面３１にタオルやＳ字フック等を掛けたり、ハンガー５３等を仮置き等のため掛けたりすることができる。さらに、横バー３０の下面には機能部品取付溝３２を有していて、機能部品取付溝３２の任意の位置に任意の数のフック等の機能部品５０を取り付け可能であるので、簡易構造物内における各種作業の際に小物等を掛けることができ、作業効率が良い。
【００１４】
本発明は、上記の実施形態に限定されない。例えば、横バーは簡易構造物の前面開口部だけでなく側面開口部にも適用可能であり、また、テラス囲いに限らず様々な構造物にも広く適用できる。また開口部に納まる窓種はFIX窓に限らず、引き違い窓等のあらゆる建具枠を適用可能である。
【符号の説明】
【００１５】
１５    無目
Ｇ    隙間
２０    取付材
３０    横バー
３１    係止面
３２    機能部品取付溝
５０    フック（機能部品）
【図１】
2019203342.tif 000003
【図２】
2019203342.tif 000004
【図３】
2019203342.tif 000005
【図４】
2019203342.tif 000006
【図５】
2019203342.tif 000007
【図６】
2019203342.tif 000008